(57)【特許請求の範囲】
【請求項１】
固定面にその上端部が露出する状態で埋設固定される外筒と、前記外筒内に昇降自在に設けられた１又は複数の内筒とからなる埋設式ポールにおいて、
内筒の下端近傍に係止部材が設けられており、前記係止部材は、その重心から偏心した位置で支持軸に回動自在に支持され、その両端部が前記内筒の外周面から直径方向に突出して外側の筒の上面に載置される係止位置と、そのほぼ全体が前記内筒の内部に収容される収容位置との間を回動するように構成されていることを特徴とする埋設式ポール。
【発明の詳細な説明】
【０００１】
【発明の属する技術分野】
本発明は、例えば駐車場の車止めを形成したり、工場や倉庫等の床面に区画を形成したりする用途に使用される埋設式ポールに関するものである。
【０００２】
【従来の技術】
従来、この種の埋設式ポールには、実公昭５５−５１８６８号公報に記載されたものがある。前記埋設式ポールを示す図６において、６１は上面６２を地面Ｇに表わして埋設される外筒、６３は外筒６１の上部に内嵌して固定した筒形金具、６４は筒形金具６３と外筒６１の内面とに共通させて垂直に直径方向に対設した案内溝、６５は案内溝６４の上端に鉤状に連続形成した掛止溝、６６は前記筒形金具６３及び外筒６１の上部から嵌合するとともに下部側面を直径方向に挿通した掛止ピン６７の両端を前記案内溝６４内に嵌入させて昇降自在に嵌装した内筒である。
【０００３】
また、６８は外筒６１の上面６２から前記係止溝６５に連通させて設けた孔、６９はこの孔６８内に非回転にかつ昇降自在に嵌装したストッパーピンである。このストッパーピン６９は、その上面から縦に穿孔した雌ねじ孔７０内に下端を螺合し頭部７１を外筒６１の上面６２に臨出させたボルト７２を回転することにより、前記孔６８内を昇降するようになっている。
【０００４】
以上のように構成された埋設式ポールでは、外筒６１の上端から内筒６６を引き上げ、この内筒６６と一体の掛止ピン６７が案内溝６４の上端に達した位置で水平方向に内筒６６を回転させると、前記掛止ピン６７が掛止溝６５内に移行し、この掛止溝６５内で支承される掛止ピン６７を介して、内筒６６の引き上げ状態が保持される。次いで、予め弛み方向にボルト７２を回転して上昇退避させておいたストッパーピン６９を、前記ボルト７２を逆回転させることにより降下させ、掛止溝６５の最奥部に位置させた掛止ピン６７の脱出を阻止し、内筒６６の回転を不能にする。
【０００５】
【発明が解決しようとする課題】
しかし、前記従来の埋設式ポールには以下のような問題があった。すなわち、格納状態にある埋設式ポールを伸ばして使用状態とするには、内筒６６を引き上げるとともに、その位置で内筒６６を回転させる必要があり、さらに、使用中に掛止ピン６７が掛止溝６５から外れて内筒６６が不用意に降下するのを防止するためにはボルト７２を回してストッパーピン６９を降下させる必要もあり、操作が複雑かつ面倒だった。したがって、例えば多数の埋設式ポールが所定間隔で並設されているような場合には、全てのポールを使用状態とするまでに多大な労力と時間とを要することになっていた。また、これと同様に、使用状態にある埋設式ポールを縮めて格納状態とする操作にも多大な労力と時間とを要していた。
【０００６】
また、構造が複雑で部品点数も多いために製造コストが高くつくとともに、内筒６６の外周面から直径方向に掛止ピン６７が突出しているため、内筒６６の直径に対して外筒６１の直径をかなり大きくせざるを得ず、この太い外筒６１のために埋設式ポールを保管したり運搬したりする際にスペースをとるという問題も生じていた。
【０００７】
さらに、外筒６１の上端から内筒６６と外筒６１との間に入った砂などが、案内溝６４や掛止溝６５と掛止ピン６７との間に噛み込んだ場合には、内筒６６を引き上げたり回転させたりできなくなるという問題も生じた。
【０００８】
本発明は以上のような問題に鑑みてなされたものであって、容易な操作で伸縮でき、内筒の引き上げ状態を確実に保持でき、砂などの噛み込みで内筒の昇降が困難になることもなく、しかも、内筒と外筒との直径の差を極力小さくすることが可能な埋設式ポールの提供を目的とするものである。
【０００９】
【課題を解決するための手段】
前記目的を達成するため、本発明は、固定面にその上端部が露出する状態で埋設固定される外筒と、前記外筒内に昇降自在に設けられた１又は複数の内筒とからなる埋設式ポールにおいて、内筒の下端近傍に係止部材が設けられており、前記係止部材は、その重心から偏心した位置で支持軸に回動自在に支持され、その両端部が前記内筒の外周面から直径方向に突出して外側の筒の上面に載置される係止位置と、そのほぼ全体が前記内筒の内部に収容される収容位置との間を回動するように構成されているものである。
【００１０】
【発明の実施の形態】
以下、本発明の一実施形態に係る埋設式ポールを図１〜図５に基づいて説明する。
図中、全体を符号１で示される埋設式ポールは、外筒２と内筒３，４とから構成されている。円筒状の外筒２は、その上端部が露出する状態で地面（固定面）Ｇに埋設固定されている。内筒３は外筒２よりも直径が小さい円筒状に形成され、外筒２内に昇降自在に挿入されている。内筒４は内筒３よりも直径が小さい円筒状に形成され、内筒３内に昇降自在に挿入されている。
【００１１】
内筒３の下端には、外筒２上端の小径部２２と係合して抜け止めとなる大径部３１が形成されている（図３〜図５参照）。同様に、内筒４の下端には、内筒３上端の小径部３２と係合して抜け止めとなる大径部４１が形成されている（図５参照）。
【００１２】
内筒３の下端近傍には、四隅にアールを付けた矩形板状の係止部材３３が、内筒３の内部に直径方向に掛け渡された支持軸３４に支持されて設けられている。係止部材３３は、支持軸３４を境として一端側が長く（すなわち重く）なり他端側が短く（すなわち軽く）なるように、その重心Ｃ（図３参照）から偏心した位置で支持軸３４に回動自在に、かつ支持軸３４の軸方向には移動しないように支持されている。
【００１３】
内筒３の左右の側面には切り欠き孔３５が対向状に穿設されている。切り欠き孔３５は係止部材３３の厚みよりも僅かに幅の広い溝状に形成され、図４に実線で示したように係止部材３３の長く延びた方の端部が上になった状態でのみ、係止部材３３の通過を許容するようになっている。また、切り欠き孔３５の側縁部に係止部材３３がぶつかることによって内筒３内側から外側への係止部材３３の回動が阻害されることのないように、左右の切り欠き孔３５の側縁部を相互に連結して一対のガイド板３５ａが設けられている（図２及び図３参照）。さらに、外筒２の上端に形成されたフランジ部２６の上面には、係止部材３３と嵌合して回り止めとなる溝２７が凹設されている。
【００１４】
また、前記内筒３の場合と同様に、内筒４の下端近傍には係止部材４３がその重心から偏心した位置で支持軸４４に支持されて回動自在に設けられるとともに、内筒４に係止部材４３の通過を許容する切り欠き孔４５が穿設され、ガイド板３５ａと同様のガイド板（不図示）も設けられている。さらに、内筒３の上端に形成されたフランジ部３６の上面には係止部材４３と嵌合して回り止めとなる溝３７が凹設されている。
【００１５】
内筒４の上端には傘状のキャップ４８が固着され、キャップ４８に取っ手４９と、鎖やロープなどを引っ掛けるためのフック５０とが固着されている。
【００１６】
なお、この埋設式ポール１を屋外に設置する場合、図３に二点鎖線で示したように内筒３の下端開口を閉塞板３ａで塞ぐとともに、内筒４の下端開口も同様の閉塞板（不図示）で塞げば、切り欠き孔３５，４５から入った砂などが内部に落ち込むのを防ぐことができる。
【００１７】
この埋設式ポール１にあっては、図５に示した格納状態では、係止部材３３，４３は、長く延びた方の端部を上にして、その全体がそれぞれ内筒３，４の内部に収容される収容位置にある。そして、この状態から取っ手４９に手を掛けて内筒４及び３をほぼ一杯に引き上げると、係止部材３３は重力によって自動的に回動し、図４に二点鎖線で示したように、長く延びた方の端部が斜め下向きに内筒３の外周面から突出した状態となる。また、図示を省略するが、同様に係止部材４３も重力によって自動的に回動し、長く延びた方の端部が斜め下向きに内筒４の外周面から突出した状態となる。
【００１８】
そして、この状態から内筒３及び４を僅かに降下させると、係止部材３３は内筒３の外周面から直径方向に突出した両端部が外筒２の上面に載置される係止位置まで回動するとともに、同様に係止部材４３も内筒４の外周面から直径方向に突出した両端部が内筒３の上面に載置される係止位置まで回動し、埋設式ポール１は図１〜図３に示した使用状態となる。なお、ここで係止部材３３，４３が溝２７，３７と嵌合していない場合、必要であれば内筒３及び４を適宜に回転させて、係止部材３３，４３を溝２７，３７に落とし込むようにする。
【００１９】
また、図１の使用状態から格納状態とするには、先ず、内筒３を僅かに持ち上げると、係止部材３３が図４に二点鎖線で示した状態となるので、この係止部材３３を手又は足で内筒３の内部に押し込みながら内筒３を最下端まで降下させ、次いで、前記と同様にして係止部材４３を内筒４の内部に押し込みながら内筒４を最下端まで降下させる。これにより、埋設式ポール１は図５に示した格納状態となる。
【００２０】
以上説明したように、この埋設式ポール１によれば、格納状態にある埋設式ポール１を伸ばして使用状態とする際には、内筒３，４を上げ下げするだけで収容位置にあった係止部材３３，４３が自動的に係止位置まで回動し、また、使用状態にある埋設式ポール１を縮めて格納状態とする際には、係止部材３３，４３を内筒３，４の内部に押し込みながら内筒３，４を降下させるだけでよく、極めて簡単な操作で短時間で伸縮させることが可能である。
【００２１】
また、使用状態にあっては、両端部が内筒３，４の外周面から直径方向に突出し、それぞれ外筒２，内筒３の上面に載置されている係止部材３３，３４によって保持されているので、内筒３，４の引き上げ状態の保持が確実であり、使用中に内筒３，４が不用意に降下するようなことがない。
【００２２】
また、外筒２及び内筒３の内周面に従来例のような案内溝や掛止溝などの凹凸がないため、外筒２や内筒３の内部に砂などが入った場合でも、砂などの噛み込みによって内筒３，４の昇降が困難になるような危険性が少ない。
【００２３】
さらに、収納位置では係止部材３３，４３の全体が内筒３，４の内部に収容されており、従来例における掛止ピンのように内筒３，４の外周面から突出したものがないので、そのぶん内筒３，４と外筒２との直径の差を小さくでき、外筒２を相対的に細くすることが可能である。したがって、多数の埋設式ポール１を保管したり運搬したりする場合でも従来に比べて小さいスペースで済む。また、従来例の埋設式ポールに比べて構造が簡単で部品点数も少ないため、製造コストを安くできる利点もある。
【００２４】
なお、本発明の埋設式ポールが前記説明に限定されないのはもちろんのことであり、例えば前記では径の異なる２本の内筒を備えたものを示したが、本発明の埋設式ポールは、従来例のように１本のみの内筒を備えたものや、径の異なる３本以上の内筒を備えたものであってもよい。
【００２５】
また、前記では外筒及び内筒を円筒状に形成したが、外筒及び内筒は例えば長円形や楕円形その他の断面形状であってもよい。
【００２６】
また、前記では係止部材を略矩形の板状に形成したが、係止部材の形状は任意であり、例えば側面視楔形の板状や丸棒状の係止部材を用いてもよい。
【００２７】
さらに、キャップ，取っ手，フックなど細部の形状も前記に限定されず任意である。
【００２８】
さらにまた、外筒を固定する固定面は、例えば床面など、地面以外であってもよい。
【００２９】
【発明の効果】
以上説明したように、本発明に係る埋設式ポールによれば、係止部材がその重心から偏心した位置で支持軸に回動自在に支持されているので、格納状態にある埋設式ポールを使用状態とする際には収容位置にあった係止部材が重力によって係止位置まで回動し、また、使用状態にある埋設式ポールを格納状態とする際には係止部材を内筒の内部に押し込みながら内筒を降下させるだけでよく、極めて簡単な操作で短時間のうちに伸縮させることが可能である。また、使用状態においては、両端部が内筒の外周面から直径方向に突出して外側の筒の上面に載置される係止部材によって内筒が保持されているので、内筒の引き上げ状態の保持が確実であり、使用中に内筒が不用意に降下するようなことがない。また、外筒の内周面に案内溝や掛止溝などが不要なため、外筒と内筒との間に砂などが入った場合でも砂などの噛み込みによって内筒の昇降が困難になる危険性が少なく、かつ、構造が簡単なので製造コストを安くすることもできる。さらに、収納位置では係止部材のほぼ全体が内筒の内部に収容されるので、内筒と外筒との直径の差を小さくして、外筒を相対的に細くすることもできる。
【図面の簡単な説明】
【図１】本発明の一実施形態に係る埋設式ポールの使用状態における正面図である。
【図２】図１の要部拡大側面図である。
【図３】図２のＡ−Ａ線における断面図である。
【図４】係止部材の回動状態を示す図３と同様の切断面における断面図である。
【図５】格納状態における埋設式ポールの一部省略断面図である。
【図６】従来の埋設式ポールの一部切欠正面図である。
【符号の説明】
１          埋設式ポール
２          外筒
３，４      内筒
３３，４３  係止部材
３４，４４  支持軸
Ｇ          地面（固定面）
【図１】
0003761279.tif 000002
【図２】
0003761279.tif 000003
【図３】
0003761279.tif 000004
【図４】
0003761279.tif 000005
【図５】
0003761279.tif 000006
【図６】
0003761279.tif 000007